(57)【特許請求の範囲】
【請求項１】
製版されたマスタが巻き付けられる回転駆動可能な版胴と、
前記版胴に対して接離可能で回転可能なプレス部材と、
多数枚の用紙を積載状態で支持する昇降自在の給紙台と、
前記給紙台上の最上位の前記用紙を間歇的に送り出す回転駆動可能な給紙ローラと、
前記給紙ローラにより送り出される前記用紙の重送を阻止する用紙分離手段と、
前記版胴と前記用紙分離手段との間に配置されて前記版胴の回転に同期して回転駆動される対のレジストローラと、
前記給紙台上の前記用紙に対する前記給紙ローラの給紙圧を初期値に保持する給紙圧保持手段と、
前記給紙圧保持手段により初期値に保持された前記給紙圧を、前記給紙ローラにより給紙された前記用紙が前記レジストローラにより前記版胴に向けて送り出された時点から前記版胴と前記プレス部材とに受け渡される直前までの期間中に所定値まで減圧し、前記用紙の後端が前記給紙ローラから離れた時点から一枚分の給紙が終了する時点までの期間中に前記給紙圧を前記初期値に戻す給紙圧減圧手段と、
を備える孔版印刷機の用紙搬送装置。
【請求項２】
製版されたマスタが巻き付けられる回転駆動可能な版胴と、
前記版胴に対して接離可能で回転可能なプレス部材と、
多数枚の用紙を積載状態で支持する昇降自在の給紙台と、
前記給紙台上の最上位の前記用紙を間歇的に送り出す回転駆動可能な給紙ローラと、
前記給紙ローラにより送り出される前記用紙を給紙方向に送り出す分離ローラとこの分離ローラに圧接可能に支持された分離摩擦部材との間で前記用紙の重送を阻止する用紙分離手段と、
前記版胴と前記用紙分離手段との間に配置されて前記版胴の回転に同期して回転駆動される対のレジストローラと、
前記分離ローラに対する前記分離摩擦部材の分離圧を初期値に保持する分離圧保持手段と、
前記分離圧保持手段により初期値に保持された前記分離圧を、前記給紙ローラにより給紙された前記用紙がレジストローラにより前記版胴に向けて送り出された時点から前記版胴と前記プレス部材とに受け渡される直前までの期間中に所定値まで減圧し、前記用紙の後端が前記分離ローラから離れた時点から一枚分の給紙が終了する時点までの期間中に前記分離圧を前記初期値に戻す分離圧減圧手段と、
を備える孔版印刷機の用紙搬送装置。
【請求項３】
製版されたマスタが巻き付けられる回転駆動可能な版胴と、
前記版胴に対して接離可能で回転可能なプレス部材と、
多数枚の用紙を積載状態で支持する昇降自在の給紙台と、
前記給紙台上の最上位の前記用紙を間歇的に送り出す回転駆動可能な給紙ローラと、
前記給紙ローラにより送り出される前記用紙を給紙方向に送り出す分離ローラとこの分離ローラに圧接可能に支持された分離摩擦部材との間で前記用紙の重送を阻止する用紙分離手段と、
前記版胴と前記用紙分離手段との間に配置されて前記版胴の回転に同期して回転駆動される対のレジストローラと、
前記給紙台上の前記用紙に対する前記給紙ローラの給紙圧を初期値に保持する給紙圧保持手段と、
前記給紙圧保持手段により初期値に保持された前記給紙圧を、前記給紙ローラにより給紙された前記用紙が前記レジストローラにより前記版胴に向けて送り出された時点から前記版胴と前記プレス部材とに受け渡される直前までの期間中に所定値まで減圧し、前記用紙の後端が前記給紙ローラから離れた時点から一枚分の給紙が終了する時点までの期間中に前記給紙圧を前記初期値に戻す給紙圧減圧手段と、
前記分離ローラに対する前記分離摩擦部材の分離圧を初期値に保持する分離圧保持手段と、
前記分離圧保持手段により初期値に保持された前記分離圧を、前記給紙ローラにより給紙された前記用紙がレジストローラにより前記版胴に向けて送り出された時点から前記版胴と前記プレス部材とに受け渡される直前までの期間中に所定値まで減圧し、前記用紙の後端が前記分離ローラから離れた時点から一枚分の給紙が終了する時点までの期間中に前記分離圧を前記初期値に戻す分離圧減圧手段と、
を備える孔版印刷機の用紙搬送装置。
【請求項４】
前記給紙圧減圧手段は、前記給紙台上の前記用紙から前記給紙ローラを離反させることにより前記給紙圧を減圧するように構成されている請求項１又は３記載の孔版印刷機の用紙搬送装置。
【請求項５】
前記分離圧減圧手段は、前記分離ローラから前記分離摩擦部材を離反させることにより前記分離圧を減圧するように構成されている請求項２又は３記載の孔版印刷機の用紙搬送装置。
【請求項６】
前記分離圧減圧手段の実行可否を選択する切替手段を備える請求項２，３又は５記載の孔版印刷機の用紙搬送装置。
【請求項７】
前記レジストローラにより搬送された前記用紙が前記版胴と前記プレス部材とに受け渡された時点から一枚分の給紙が終了するまでの期間中に前記レジストローラを離反させるレジストローラ離反手段を備える請求項１ないし６の何れか一記載の孔版印刷機の用紙搬送装置。
【請求項８】
前記給紙圧減圧手段は、減圧した給紙圧を初期値に戻すタイミングを変更可能に設定するように構成されている請求項１，３又は４の何れか一記載の孔版印刷機の用紙搬送装置。
【請求項９】
前記分離圧減圧手段は、減圧した分離圧を初期値に戻すタイミングを変更可能に設定するように構成されている請求項２，３，５又は６の何れか一記載の孔版印刷機の用紙搬送装置。
【発明の詳細な説明】
【０００１】
【発明の属する技術分野】
本発明は、孔版印刷機の用紙搬送装置に関する。
【０００２】
【従来の技術】
従来、多孔質の支持円筒体に樹脂製又は金属製のメッシュスクリーンを複数枚巻き付けた版胴の外周に製版済のマスタを供給し、版胴の外周に設けたクランプによりマスタの先端を挟持状態で支持し、この後に版胴を回転させることにより版胴の外周にマスタを巻き付け、給紙台に積載した用紙を最上位のものから順次給紙ローラにより版胴に向けて給紙し、給紙された用紙をプレスローラ或いは圧胴により版胴に圧接し、版胴の内部からマスタの穿孔を通して滲み出させたインキを用紙に転写することにより画像を印刷するようにした孔版印刷機がある。
【０００３】
このような孔版印刷機では、例えば特開平９−２０４３６号公報に記載されているように、給紙ローラの下流側に分離ローラとこの分離ローラに圧接された分離パッドとよりなる用紙分離手段を設け、この用紙分離手段により給紙時における用紙の重送を防止し、さらに用紙分離手段の下流側に配置したレジストローラのニップ部に用紙の先端を当接させることで用紙の斜行を防止するとともに、用紙の先端の位置を定め、版胴の回転運動に同期させてレジストローラを回転させることにより、版胴に巻き付けられたマスタの画像を用紙の定められた位置に印刷するようにしている。
【０００４】
【発明が解決しようとする課題】
ところで、給紙のためには給紙台上の用紙を所定の給紙圧で給紙ローラに接触させる必要がある。また、用紙の重送防止のためには分離ローラに分離パッドを所定の分離圧で圧接する必要がある。これらの給紙圧や分離圧は、版胴とプレスローラ或いは圧胴とで用紙を搬送するときに版胴に対する負荷となる。
【０００５】
一方、マスタは厚みが１〜２μm程度の熱可塑性樹脂フィルムに和紙繊維とか合成繊維、或いは両者を混抄した多孔質のシートをラミネート構造に積層することにより形成されているため伸び易く、また皺になり易い性質をもっている。このため、回転中の版胴に用紙をプレスローラや圧胴で圧接したときに、給紙圧や分離圧による大きな負荷が版胴に作用すると、マスタは回転方向とは反対方向の力を用紙から受ける。これにより、マスタが伸び、或いはマスタの先端がクランプから外れて画像の位置ずれの原因或いはマスタの斜行の原因になる。
【０００６】
このようなことから、版胴と等しい周速度で回転する圧胴を用いて用紙を版胴上のマスタに圧接させ、この圧接の時点で分離ローラに対する分離パッドの分離圧をキャンセルする試みがなされているが、版胴と圧胴との周速度を厳密に一致させることは困難であり、両者の間に僅かでも速度差があると、マスタが擦られて皺が寄る問題がある。
【０００７】
このため、用紙搬送時の負荷を下げるために、用紙への給紙ローラの給紙圧を下げると用紙の送りが不十分となり不送りが発生し、給紙圧を高めると重送の原因になる。分離ローラへの分離パッドの分離圧を下げると重送の原因となる。
【０００８】
本発明の目的は、用紙の不送りの発生を防止した上で、用紙と給紙ローラとの接触圧（給紙圧）に基づいて発生する負荷により版胴上のマスタの伸び等を防止することである。
【０００９】
本発明の目的は、用紙の不送りや重送の発生を防止した上で、分離ローラと分離摩擦部材との接触圧（分離圧）に基づいて発生する負荷により版胴上のマスタの伸び等を防止することである。
【００１０】
本発明の目的は、レジストローラと版胴との速度差に基づいて発生する負荷により版胴上のマスタの伸び等を防止することである。
【００１１】
【課題を解決するための手段】
請求項１記載の発明は、製版されたマスタが巻き付けられる回転駆動可能な版胴と、前記版胴に対して接離可能で回転可能なプレス部材と、多数枚の用紙を積載状態で支持する昇降自在の給紙台と、前記給紙台上の最上位の前記用紙を間歇的に送り出す回転駆動可能な給紙ローラと、前記給紙ローラにより送り出される前記用紙の重送を阻止する用紙分離手段と、前記版胴と前記用紙分離手段との間に配置されて前記版胴の回転に同期して回転駆動される対のレジストローラと、前記給紙台上の前記用紙に対する前記給紙ローラの給紙圧を初期値に保持する給紙圧保持手段と、前記給紙圧保持手段により初期値に保持された前記給紙圧を、前記給紙ローラにより給紙された前記用紙がレジストローラにより前記版胴に向けて送り出された時点から前記版胴と前記プレス部材とに受け渡される直前までの期間中に所定値まで減圧し、前記用紙の後端が前記給紙ローラから離れた時点から一枚分の給紙が終了する時点までの期間中に前記給紙圧を前記初期値に戻す給紙圧減圧手段と、を備える。
【００１２】
したがって、用紙をレジストローラに受け渡すまでの期間中は、初期値として定めた適正な給紙圧をもって給紙ローラを用紙に接触させることが可能となる。用紙がレジストローラにより版胴に向けて送り出された時点から版胴とプレス部材とに受け渡される直前までの期間中に給紙圧が減圧されるため、版胴に作用する給紙圧による負荷が軽減される。
【００１３】
請求項２記載の発明は、製版されたマスタが巻き付けられる回転駆動可能な版胴と、前記版胴に対して接離可能で回転可能なプレス部材と、多数枚の用紙を積載状態で支持する昇降自在の給紙台と、前記給紙台上の最上位の前記用紙を間歇的に送り出す回転駆動可能な給紙ローラと、前記給紙ローラにより送り出される前記用紙を給紙方向に送り出す分離ローラとこの分離ローラに圧接可能に支持された分離摩擦部材との間で前記用紙の重送を阻止する用紙分離手段と、前記版胴と前記用紙分離手段との間に配置されて前記版胴の回転に同期して回転駆動される対のレジストローラと、前記分離ローラに対する前記分離摩擦部材の分離圧を初期値に保持する分離圧保持手段と、前記分離圧保持手段により初期値に保持された前記分離圧を、前記給紙ローラにより給紙された前記用紙がレジストローラにより前記版胴に向けて送り出された時点から前記版胴と前記プレス部材とに受け渡される直前までの期間中に所定値まで減圧し、前記用紙の後端が前記分離ローラから離れた時点から一枚分の給紙が終了する時点までの期間中に前記分離圧を前記初期値に戻す分離圧減圧手段と、を備える。
【００１４】
したがって、用紙をレジストローラに受け渡すまでの期間中は、初期値として定めた適正な分離圧をもって分離ローラに分離摩擦部材を接触させることが可能となる。用紙がレジストローラにより版胴に向けて送り出された時点から版胴とプレス部材とに受け渡される直前までの期間中は分離圧が減圧されるため、版胴に作用する分離圧による負荷が軽減される。
【００１５】
請求項３記載の発明は、製版されたマスタが巻き付けられる回転駆動可能な版胴と、前記版胴に対して接離可能で回転可能なプレス部材と、多数枚の用紙を積載状態で支持する昇降自在の給紙台と、前記給紙台上の最上位の前記用紙を間歇的に送り出す回転駆動可能な給紙ローラと、前記給紙ローラにより送り出される前記用紙を給紙方向に送り出す分離ローラとこの分離ローラに圧接可能に支持された分離摩擦部材との間で前記用紙の重送を阻止する用紙分離手段と、前記版胴と前記用紙分離手段との間に配置されて前記版胴の回転に同期して回転駆動される対のレジストローラと、前記給紙台上の前記用紙に対する前記給紙ローラの給紙圧を初期値に保持する給紙圧保持手段と、前記給紙圧保持手段により初期値に保持された前記給紙圧を、前記給紙ローラにより給紙された前記用紙が前記レジストローラにより前記版胴に向けて送り出された時点から前記版胴と前記プレス部材とに受け渡される直前までの期間中に所定値まで減圧し、前記用紙の後端が前記給紙ローラから離れた時点から一枚分の給紙が終了する時点までの期間中に前記給紙圧を前記初期値に戻す給紙圧減圧手段と、前記分離ローラに対する前記分離摩擦部材の分離圧を初期値に保持する分離圧保持手段と、前記分離圧保持手段により初期値に保持された前記分離圧を、前記給紙ローラにより給紙された前記用紙がレジストローラにより前記版胴に向けて送り出された時点から前記版胴と前記プレス部材とに受け渡される直前までの期間中に所定値まで減圧し、前記用紙の後端が前記分離ローラから離れた時点から一枚分の給紙が終了する時点までの期間中に前記分離圧を前記初期値に戻す分離圧減圧手段と、を備える。
【００１６】
したがって、用紙をレジストローラに受け渡すまでの期間中は、初期値として定めた適正な給紙圧をもって給紙ローラを用紙に接触させるとともに、初期値として定めた適正な分離圧をもって分離ローラに分離摩擦部材を接触させることが可能となる。用紙がレジストローラにより送り出された時点から版胴とプレス部材とに受け渡される直前までの期間中は給紙圧及び分離圧が減圧されるため、版胴に作用する給紙圧、分離圧による負荷が軽減される。
【００１７】
請求項４記載の発明は、請求項１又は３記載の発明において、前記給紙圧減圧手段は、前記給紙台上の前記用紙から前記給紙ローラを離反させることにより前記給紙圧を減圧するように構成されている。
【００１８】
したがって、給紙圧をゼロに減圧した状態で用紙を版胴とプレス部材とで搬送することができるので、版胴に作用する負荷が著しく軽減される。
【００１９】
請求項５記載の発明は、請求項２又は３記載の発明において、前記分離圧減圧手段は、前記分離ローラから前記分離摩擦部材を離反させることにより前記分離圧を減圧するように構成されている。
【００２０】
したがって、分離圧をゼロに減圧した状態で用紙を版胴とプレス部材とで搬送することができるので、版胴に作用する負荷が著しく軽減される。
【００２１】
請求項６記載の発明は、請求項２，３又は５記載の発明において、前記分離圧減圧手段の実行可否を選択する切替手段を備える。
【００２２】
したがって、給紙ローラにより給紙された用紙が、レジストローラに受け渡されたときに後端が用紙分離手段を離れるほどの短い用紙を用いるときには、用紙分離手段の分離圧を減圧しなくても版胴に作用する負荷を著しく軽減できるため、分離圧減圧手段の実行を停止するモードの選択が可能となる。
【００２３】
請求項７記載の発明は、請求項１ないし６の何れか一記載の発明において、前記レジストローラにより搬送された前記用紙が前記版胴と前記プレス部材とに受け渡された時点から一枚分の給紙が終了するまでの期間中に前記レジストローラを離反させるレジストローラ離反手段を備える。
【００２４】
したがって、製造上のばらつきにより版胴の周速度よりレジストローラの周速度が遅い場合でも、版胴に与える負荷をなくすことが可能となる。
【００２５】
請求項８記載の発明は、請求項１，３，４の何れか一記載の発明において、前記給紙圧減圧手段は、減圧した給紙圧を初期値に戻すタイミングを変更可能に設定するように構成されている。
【００２６】
したがって、給紙直後に後端が給紙ローラから直ぐに離れるような短い用紙の場合には、減圧した給紙圧を初期値に戻すタイミングを早めて次の用紙に給紙ローラを高い給紙圧（初期値）をもって圧接させることにより、給紙ローラの支持構造から振動が発生する時間を短くすることが可能となる。
【００２７】
請求項９記載の発明は、請求項２，３，５，６の何れか一記載の発明において、前記分離圧減圧手段は、減圧した分離圧を初期値に戻すタイミングを変更可能に設定するように構成されている。
【００２８】
したがって、給紙直後に後端が分離ローラから直ぐに離れるような短い用紙の場合には、減圧した分離圧を初期値に戻すタイミングを早めて分離ローラに分離摩擦部材を高い分離圧（初期値）をもって圧接させることにより、分離摩擦部材の支持構造から振動が発生する時間を短くすることが可能となる。
【００２９】
【発明の実施の形態】
本発明の第一の実施の形態を図１ないし図３に基づいて説明する。図１及び図３において、１は版胴である。版胴１の周囲には、版胴１に巻き付けられた使用済のマスタ２を剥がして回収する排版装置（図示せず）と、製版装置３とが設けられている。製版装置３は、ロール状に巻かれた未使用のマスタ２の巻芯２ａを保持するホルダ（図示せず）と、回転駆動されるプラテン４と、スプリング（図示せず）の付勢力によりプラテン４に接離可能に圧接されたサーマルヘッド５と、製版済のマスタ２を切断するカッタ６と、マスタ２を版胴１に向けて搬送する対の搬送ローラ７と、マスタ２を版胴１に向けて案内するガイド板８とを備える。プラテン４は図示しないステッピングモータに連結されている。カッタ６はギロチンタイプを用いているが、例えばロータリータイプを用いる等、限定されるものではない。
【００３０】
搬送ローラ７の周速度は、搬送中にマスタ２に所望の張力が付与されるように、プラテン４の周速度より僅かに速い周速度に定められている。マスタは厚みが１〜２μm程度の熱可塑性樹脂フィルムに和紙繊維とか合成繊維、或いは両者を混抄した多孔質のシートをラミネート構造に積層することにより形成されている。
【００３１】
版胴１は、詳しくは図示しないが、多孔質円筒体の外周に樹脂或いは金属製のメッシュスクリーンを複数枚巻き付け、多孔質円筒体の両端にフランジを固定することにより形成され、ギヤ列を介してモータに連結された公知の構造である。この版胴１のフランジは、両端が側板（図示せず）により固定的に支持されたインキ供給軸９によって回転自在に支持されている。このインキ供給軸９は図示しないインキ供給装置に接続されている。
【００３２】
また、版胴１の内部には、インキ供給軸９に固定されて対向する対の側板（図示せず）が設けられ、これらの側板には、インキローラ１０とドクターローラ１１とが回転自在に支持されている。これらのインキローラ１０とドクターローラ１１とは僅かの隙間をあけて平行に配列され、両者により楔状に形成される空間はインキ供給軸９に形成されたインキ適下孔１２から滴下されるインキを受けるインキ溜め１３である。さらに、版胴１のメッシュスクリーン以外の非開口部の表面には、磁性材により形成されたステージ１４と、このステージ１４との間でマスタ２の先端を挟持するクランパ１５とが版胴１の母線に沿って設けられている。このクランパ１５は図示しない開閉駆動部により駆動されるように構成されている。
【００３３】
さらに、版胴１の下方にはプレス部材としてのプレスローラ１６が設けられている。このプレスローラ１６は図示しないローラアームにより回転自在に支持されている。また、プレスローラ１６を支持するローラアームは、スプリングにより版胴１の方向に付勢されているが、通常は版胴１から離反され、給紙のタイミングに合わせて版胴１側に回動し、プレスローラ１６を版胴１上の用紙Ｓに圧接するように構成されている。
【００３４】
さらに、版胴１の下方には、図示しない開閉駆動部により駆動されて版胴１から用紙Ｓを剥がす剥がし爪１７が設けられている。プレスローラ１６の下流側には、剥がし爪１７により版胴１から剥がされた用紙Ｓを排紙する図示しない排紙トレイが設けられ、プレスローラ１６の上流側には多数の用紙Ｓを積載する給紙台１８が設けられている。この給紙台１８は、最上位の用紙Ｓが規定範囲のレベルに位置するように、図示しないモータにより駆動されて昇降駆動される。
【００３５】
給紙台１８の上方には、図示しないモータにより駆動されて用紙Ｓを一枚ずつ送り出す給紙ローラ１９と、この給紙ローラ１９により送り出された用紙Ｓを一枚ずつ分離して重送を防止する用紙分離手段２０とが設けられている。この用紙分離手段２０は、図示しないモータにより駆動される分離ローラ２１と、この分離ローラ２１に圧接される分離摩擦部材としての分離パッド２２とにより形成されている。分離ローラ２１の下流側には対のレジストローラ２３，２４が設けられている。
【００３６】
次に、本発明の特徴部分について説明する。まず、給紙ローラ１９は一端を支点として上下方向に揺動する図示しないスイングアームの自由端側に回転自在に軸支されている。そして、このスイングアームを下方に付勢する図示しない付勢部材は、給紙台１８上の用紙Ｓに対する給紙ローラ１９の給紙圧を初期値に保持する給紙圧保持手段として機能する。
【００３７】
また、給紙ローラ１９を軸支するスイングアームには連結アーム２５が連結され、この連結アーム２５を下から支える突部２６を有する給紙ローラカム２７が図示しないモータに連結されて回転自在に設けられている。
【００３８】
ここで、給紙ローラ１９、分離ローラ２１、レジストローラ２３は版胴１の回転運動に同期して回転するように構成されているが、給紙ローラカム２７は、給紙ローラ１９の動作に同期して回転駆動されることにより突部２６で連結アーム２５を押し上げ、給紙ローラ１９を用紙Ｓから離反させる。すなわち、給紙ローラカム２７は、上記の給紙圧保持手段（スイングアームを付勢する付勢部材）により初期値に保持された給紙圧を、給紙ローラ１９により給紙された用紙Ｓがレジストローラ２３，２４により版胴１に向けて送り出された時点から版胴１とプレスローラ１６とに受け渡される直前までの期間中に所定値（この例ではゼロ）まで減圧し、用紙Ｓの後端が給紙ローラ１９から離れた時点から一枚分の給紙が終了するまでの期間中に給紙圧を初期値に戻す給紙圧減圧手段として機能する。
【００３９】
さらに、分離パッド２２は伸縮自在の加圧部材２８の上端により支持され、この加圧部材２８の下端は回転自在に支持された分離カム２９の突部３０に当接されている。この分離カム２９は、給紙ローラ１９の動作に同期して回転駆動され、突部３０で加圧部材２８を押圧したときに分離パッド２２を分離ローラ２１に一定の分離圧（初期値）で圧接させ、突部３０が加圧部材２８の下端から外れたときに加圧部材２８の伸張動作を許容して分離ローラ２１に対する分離パッド２２の分離圧を減圧する。
【００４０】
すなわち、加圧部材２８と分離カム２９とは、分離ローラ２１に対する分離パッド２２の分離圧を初期値に保持する分離圧保持手段として機能するとともに、初期値に保持された分離圧を、給紙ローラ１９により給紙された用紙Ｓがレジストローラ２３，２４により送り出された時点から版胴１とプレスローラ１６とに受け渡される直前までの期間中に所定値まで減圧し、用紙Ｓの後端が給紙ローラ１９から離れた時点から一枚分の給紙が終了するまでの期間中に分離圧を初期値に戻す分離圧減圧手段として機能する。
【００４１】
図２に示すように、下方のレジストローラ２３には、反時計方向への駆動力を伝達する図示しないワンウェイクラッチを内蔵したピニオンギヤ３１が同軸上で連結され、このピニオンギヤ３１には支軸３２を中心に回動可能な扇形ギヤ３３が噛合されている。この扇形ギヤ３３は図示しないスプリングにより時計方向に付勢され、上端には版胴１の回転運動に同期して回転する扇形ギヤカム３４が当接されている。この扇形ギヤカム３４は、給紙された用紙Ｓがレジストローラ２３，２４のニップ部に達するまでは、スプリングの付勢力による扇形ギヤ３３の時計方向の回動運動を阻止するが、所定のタイミングでスプリングの付勢力による扇形ギヤ３３の時計方向の回動運動を許容し、このときにピニオンギヤ３１をレジストローラ２３とともに反時計方向（給紙方向）に回転させる。これにより、用紙Ｓがレジストローラ２３，２４により版胴１に向けて送り出される。
【００４２】
図２に示すように、上方のレジストローラ２４は、支軸３５を中心に回動可能なレジストアーム３６の下端に回転自在に軸支されている。このレジストアーム３６は図示しないスプリングにより時計方向に付勢され、これにより上方のレジストローラ２４が下方のレジストローラ２３に圧接されるように構成されている。そして、版胴１の回転運動に同期して回転するレジストアームカム３７が設けられている。
【００４３】
すなわち、レジストアームカム３７は、外周に形成された図示しない突部でレジストアーム３６を反時計方向に押圧することにより、レジストローラ２３，２４により搬送された用紙Ｓが版胴１とプレスローラ１６とに受け渡された時点から一枚分の給紙が終了するまでの期間中にレジストローラ２３，２４を離反させるレジストローラ離反手段として機能する。
【００４４】
なお、上記の給紙圧及び分離圧を減圧し始めるために、用紙Ｓがレジストローラ２３，２４により送り出された時点での用紙Ｓの先端の位置を検出する手段を必要とする。また、給紙圧及び分離圧を減圧し終える（減圧した給紙圧及び分離圧を初期値に戻す）ために、用紙Ｓの後端が給紙ローラ１９或いは用紙分離手段２０から離れた時点での用紙Ｓの後端の位置を検出する手段を必要とする。この場合の用紙位置を検出する用紙位置検出手段としては、用紙搬送路中に設けたセンサ（図示せず）の検出信号により検出する方法、版胴１や給紙ローラ１９を始動させたときを基準とするモータの駆動パルスをカウントする方法、等により実現できるがこれに限定されるものではない。
【００４５】
このような構成において、図示しない原稿読取装置に原稿をセットし、図示しない操作パネル上のスタートボタンを押すと、原稿の読み取り、マスタ２の製版、印刷の一連の動作が始まる。まず、版胴１に巻き付けられていた使用済のマスタ２が排版装置により剥離され回収される。その後、版胴１は図１に示すようにクランパ１５がガイド板８の真下となる位置で停止され、クランパ１５が開放された給版待機状態に維持される。
【００４６】
原稿読取装置は原稿画像を走査してＣＣＤにより電気信号として変換して出力する。そのアナログ出力はデジタル信号に変換され、種々の画像処理を経た後に画像データとして製版装置３に送られる。
【００４７】
製版装置３は、画像データに基づいてサーマルヘッド５の発熱素子を発熱させマスタ２に穿孔によるドットを形成する。このドットの形成はマスタ２をプラテン４と搬送ローラ７とで１ライン送る度に行われる。製版されたマスタ２はガイド板８により版胴１のステージ１４とクランパ１５との間に導かれ、プラテン４を駆動するステッピングモータの駆動パルスをカウントする等の手段によりマスタ２の先端がクランパ１５に届いたものと認識したときに、クランパ１５が閉じられる。すなわち、マスタ２の先端がステージ１４とクランパ１５との間で挟持される。この時点で版胴１がマスタ２の搬送速度と等しい速度で時計方向に回転駆動され、これによりマスタ２が版胴１に巻き付けられる。プラテン４を駆動する図示しないステッピングモータの駆動パルスをカウントする等の手段により製版を終了したものと認識すると、マスタ２がカッタ６により切断され、切断されたマスタ２の後端部は版胴１の回転により版胴１に巻き付けられ、ここにマスタ２の巻き付けが終了する。
【００４８】
続いて、給紙ローラ１９と分離ローラ２１とが時計方向に駆動される。これにより、給紙台１８上の最上位の用紙Ｓは給紙ローラ１９により送り出され、分離ローラ２１と分離パッド２２との間を通過するときに重送が防止されて停止状態に維持されたレジストローラ２３，２４のニップ部に当接する。用紙Ｓはなおも給紙ローラ１９により送り出されるが先端がレジストローラ２３，２４のニップに当接するため湾曲するように撓み、これにより用紙Ｓの先端縁が揃えられる。
【００４９】
これまでの過程で、扇形ギヤ３３は扇形ギヤカム３４により反時計方向への動きを阻止されているが、扇形ギヤカム３４の回転運動の進行に伴い扇形ギヤカム３４から解放されるため、スプリングの付勢力により時計方向に回動し、ピニオンギヤ３１を下方のレジストローラ２３とともに反時計方向に回転させる。すなわち、対のレジストローラ２３，２４が用紙Ｓを版胴１に向けて送り出す。
【００５０】
これまでの給紙の初期の期間中、連結アーム２５が給紙ローラカム２７により持ち上げられていないため、給紙ローラ１９はスプリングの付勢力と自重とにより初期値として適正に高い値に定められた分離圧をもって用紙Ｓに接触して回転する。これにより、用紙Ｓを確実に送り出す。また、加圧部材２８が分離カム２９の突部３０により押圧されるため、分離パッド２２は用紙Ｓを初期値として適正に高い値に定められた分離圧をもって分離ローラ２１に圧接するため、用紙Ｓの重送を確実に阻止する。
【００５１】
上記のように、対のレジストローラ２３，２４が用紙Ｓを版胴１に向けて送り出した直後のタイミングでは給紙ローラカム２７と分離カム２９とが回転する。これにより、図３に示すように、連結アーム２５が給紙ローラカム２７の突部２６により押し上げられ、給紙ローラ１９が用紙Ｓから離れ、給紙圧がゼロに減圧される。また、この時点では図３に示すように、分離カム２９の回転により加圧部材２８の下端から分離カム２９の突部３０から外れるため、加圧部材２８は分離カム２９の加圧状態から解放される。これにより、分離ローラ２１に対する分離パッド２２の分離圧が初期値から所定値まで減圧される。
【００５２】
続いて、レジストローラ２３，２４により送り出された用紙Ｓが版胴１とプレスローラ１６との間を通過すると、その通過経路中に設けた図示しないセンサが通過検出信号を出力するので、その信号をトリガとしてプレスローラ１６が版胴１上のマスタ２に用紙Ｓを圧接して版胴１の回転に追従して回転する。すなわち用紙Ｓが版胴１とプレスローラ１６とに受け渡される。これにより、版胴１のインキがマスタ２の穿孔から滲み出され用紙Ｓに転写される。すなわち印刷がなされる。印刷された用紙Ｓは、開閉駆動部により駆動されて待機する剥がし爪１７により版胴１から剥がされ、排紙トレイに排出される。この後、版胴１は次の印刷のために定位置で停止され、プレスローラ１６は版胴１から離反される。
【００５３】
上記のように、版胴１とプレスローラ１６とに用紙Ｓが受け渡され、版胴１上のマスタ２に用紙Ｓを圧接したタイミングでは、レジストアーム３６が回転するレジストアームカム３７に押されて反時計方向に回動するため、図３に示すように、上方のレジストローラ２４が下方のレジストローラ２３から離反する。
【００５４】
このように、給紙台１８上の用紙Ｓが排紙トレイに搬送されるが、給紙されている用紙Ｓの後端が給紙ローラ１９から離れた時点から一枚分の給紙が終了するまでの期間中に、図１に示すように、給紙ローラカム２７が連結アーム２５を解放するため、給紙ローラ１９は次の給紙のために初期値として定められた給紙圧をもって用紙Ｓに接触する。
【００５５】
また、給紙されている用紙Ｓの後端が用紙分離手段２０から離れた時点から一枚分の給紙が終了するまでの期間中に、図１に示すように、分離カム２９が突部３０で加圧部材２８を押圧するため、分離パッド２２は次の用紙Ｓの分離のために初期値として定められた分離圧をもって分離ローラ２１に接触する。
【００５６】
下方のレジストローラ２３から離反された上方のレジストローラ２４は、一枚分の給紙が終了するまで期間中に前述した動作の逆の動作により下方のレジストローラ２４に接触される。
【００５７】
以上のように、用紙Ｓがレジストローラ２３，２４により版胴１に向けて送り出された時点から版胴１とプレスローラ１６とに受け渡される直前までの期間中は、用紙Ｓに対する給紙ローラ１９の給紙圧が減圧されるので、給紙圧によって版胴１に与える負荷を軽減することができる。本実施の形態では、用紙Ｓから給紙ローラ１９を離して給紙圧をゼロに減圧するため、負荷を著しく軽減することができる。さらに同期間中は、分離ローラ２１に対する分離パッド２２の分離圧が減圧されるので、分離圧によって版胴１に与える負荷を軽減することができる。
【００５８】
さらに、用紙Ｓが版胴１とプレスローラ１６とに受け渡された時点から一枚分の給紙が終了するまでの期間中にレジストローラ２３，２４を離反させることができるので、製作上の誤差により版胴１の周速度よりレジストローラ２３，２４の周速度が遅い場合でも、版胴１に与える負荷をなくすことができる。
【００５９】
このように、版胴１とプレスローラ１６とで用紙Ｓを搬送して印刷する期間中は版胴１に与える負荷を小さくすることができるため、版胴１上のマスタ２が用紙Ｓから受ける抵抗も小さくなる。これにより、マスタ２が用紙Ｓにより引っ張られてクランパ１５から外れたり、マスタ２が伸びたりすることはない。
【００６０】
本実施の形態では、給紙圧及び分離圧を減圧するタイミングを、レジストローラ２３，２４により用紙Ｓが送り出された時点として定めたが、版胴１とプレスローラ１６とに用紙Ｓが受け渡される直前の時点に定めても、版胴１への負荷を軽減することができる。
【００６１】
減圧した給紙圧を初期値に戻すタイミングは、給紙している用紙Ｓの後端が給紙ローラ１９から離れるときから一枚分の給紙が終了するまでの任意の時点であるが、このタイミングを変更できるようにしてもよい。このようにすることにより、給紙直後に後端が給紙ローラ１９から直ぐに離れるような短い用紙Ｓの場合には、次の用紙Ｓに給紙ローラ１９を高い給紙圧（初期値）をもって圧接させることにより、連結アーム２５や給紙ローラ１９を軸支するスイングアームを浮かしておくことによる振動の発生時間を短くすることができる。
【００６２】
同様に、減圧した分離圧を初期値に戻すタイミングは、給紙している用紙Ｓの後端が用紙分離手段２０から離れたときから一枚分の給紙が終了するまでの任意の時点であるが、このタイミングを変更できるようにしてもよい。このようにすることにより、給紙直後に後端が分離ローラ２１から直ぐに離れるような短い用紙Ｓの場合には、分離ローラ２１に分離パッド２２を高い分離圧（初期値）をもって圧接させることにより、分離ローラ２１に分離パッド２２を弱い分離圧で接触させたり、分離ローラ２１から分離パッド２２を離しておくことによる振動の発生時間を短くすることができる。
【００６３】
次に、図１ないし図３を参照して本発明の第二の実施の形態について説明する。前記実施の形態と同一部分は同一符号を用いて説明する。本実施の形態は、加圧部材２８と分離カム２９とにより機能する分離圧減圧手段の実行可否を選択する切替手段を備える。
【００６４】
この切替手段は、図示しないが操作パネル上に切替スイッチを設け、この切替スイッチのオン、オフの状態により実行可否の判断をすることにより実現できる。
【００６５】
分離圧を減圧する目的は、用紙Ｓを版胴１とプレスローラ１６とで搬送している期間中に、用紙Ｓの後端がまだ分離ローラ２１と分離パッド２２とに挟持されているときに版胴１に与える負荷を軽減することである。したがって、給紙ローラ１９により給紙された用紙Ｓが、レジストローラ２３，２４に受け渡されたときに後端が用紙分離手段２０を離れるほどの短い用紙Ｓを用いるときには、用紙分離手段２０の分離圧を減圧しなくても版胴１に作用する負荷を著しく軽減できる。このような場合に分離圧減圧手段の実行を停止するモードの選択する。本実施の形態では分離カム２９を停止状態にするモードが分離圧減圧手段の停止モードに相当する。これにより、分離カム２９の回転音、加圧部材２８の動作音等を含む騒音の発生を防止できる。
【００６６】
次に、本発明の第三の実施の形態を図４に基づいて説明する。前記実施の形態と同一部分は同一符号を用い説明も省略する。
【００６７】
本実施の形態では、連結アーム２５は給紙ローラソレノイド３８に連結されている。この給紙ローラソレノイド３８、給紙ローラ１９が用紙Ｓに接触している状態で励磁することにより、連結アーム２５を引き上げて給紙ローラ１９を用紙Ｓから離反させることにより、給紙圧をゼロに減圧する給紙圧減圧手段として機能する。この給紙ローラソレノイド３８は、非励磁状態で連結アーム２５の下方への復帰を許容する。これにより、給紙ローラ１９は前記実施の形態で示したようにスプリングにより初期値として定められた給紙圧をもって給紙圧で用紙Ｓする。給紙圧を減圧するタイミング、減圧した給紙圧を元の初期値に戻すタイミングは前記実施の形態と同様である。
【００６８】
また、分離パッド２２を支持する伸縮可能な加圧部材２８は分離ソレノイド３９に連結されている。この分離ソレノイド３９は、非励磁状態のときに加圧部材２８を押圧して分離パッド２２を分離ローラ２１に一定の分離圧（初期値）で圧接させ、励磁したときに加圧部材２８の伸張動作を許容して分離ローラ２１に対する分離パッド２２の分離圧を減圧する。すなわち、加圧部材２８と分離カム２９とは、分離ローラ２１に対する分離パッド２２の分離圧を初期値に保持する分離圧保持手段として機能するとともに、初期値に保持された分離圧を初期値に戻す分離圧減圧手段として機能する。分離圧を減圧するタイミング、減圧した分離圧を元の初期値に戻すタイミングは前記実施の形態と同様である。
【００６９】
【発明の効果】
請求項１及び３記載の発明によれば、給紙台上の用紙に対する給紙ローラの給紙圧を初期値に保持する給紙圧保持手段を備え、初期値に保持された給紙圧を、給紙ローラにより給紙された用紙がレジストローラにより版胴に向けて送り出された時点から版胴とプレス部材とに受け渡される直前までの期間中に所定値まで減圧し、用紙の後端が給紙ローラから離れた時点から一枚分の給紙が終了する時点までの期間中に給紙圧を初期値に戻す給紙圧減圧手段を備えるので、用紙をレジストローラに受け渡すまでの期間中は、初期値として定めた適正な給紙圧をもって給紙ローラを用紙に接触させて高い給紙精度を維持できる。用紙が版胴とプレス部材とに受け渡される直前までの期間中に給紙圧が減圧されるため、版胴に作用する給紙圧による負荷を軽減し、版胴上のマスタが版胴から外れたり伸びたりする状態を防止して画像品質を高めることができる。
【００７０】
請求項２記載及び３記載の発明によれば、分離ローラに対する分離摩擦部材の分離圧を初期値に保持する分離圧保持手段を備え、初期値に保持された分離圧を、給紙ローラにより給紙された用紙がレジストローラにより版胴に向けて送り出された時点から版胴とプレス部材とに受け渡される直前までの期間中に所定値まで減圧し、用紙の後端が分離ローラから離れた時点から一枚分の給紙が終了する時点までの期間中に分離圧を初期値に戻す分離圧減圧手段を備えるので、用紙をレジストローラに受け渡すまでの期間中は、初期値として定めた適正な分離圧をもって分離ローラに分離摩擦部材を接触させ、高い用紙分離精度を維持できる。用紙が版胴とプレス部材とに受け渡される直前までの期間中は分離圧を減圧し、版胴上のマスタが版胴から外れたり伸びたりする状態を防止して画像品質を高めることができる。
【００７１】
請求項４記載の発明によれば、給紙圧減圧手段は、給紙台上の用紙から給紙ローラを離反させることにより給紙圧を減圧するように構成されているので、給紙圧をゼロに減圧した状態で用紙を版胴とプレス部材とで搬送することができる。したがって、版胴に作用する負荷を著しく軽減できる。
【００７２】
請求項５記載の発明によれば、分離圧減圧手段は、分離ローラから分離摩擦部材を離反させることにより分離圧を減圧するように構成されているので、分離圧をゼロに減圧した状態で用紙を版胴とプレス部材とで搬送することができる。したがって、版胴に作用する負荷を著しく軽減できる。
【００７３】
請求項６記載の発明によれば、分離圧減圧手段の実行可否を選択する切替手段を備えるので、給紙ローラにより給紙された用紙が、レジストローラに受け渡されたときに後端が用紙分離手段を離れるほどの短い用紙を用いるときには、用紙分離手段の分離圧を減圧しなくても版胴に作用する負荷を著しく軽減できるため、分離圧減圧手段の実行を停止するモードを選択することにより、分離圧減圧手段を停止状態にして騒音の発生を防止できる。
【００７４】
請求項７記載の発明によれば、レジストローラにより搬送された用紙が版胴と前記プレス部材とに受け渡された時点から一枚分の給紙が終了するまでの期間中にレジストローラを離反させるレジストローラ離反手段を備えるので、製造上のばらつきにより版胴の周速度よりレジストローラの周速度が遅い場合でも版胴に与える負荷をなくし、版胴上のマスタが版胴から外れたり伸びたりする状態を防止して画像品質を高めることができる。
【００７５】
請求項８記載の発明によれば、給紙圧減圧手段は、減圧した給紙圧を初期値に戻すタイミングを変更可能に設定するように構成されているので、給紙直後に後端が給紙ローラから直ぐに離れるような短い用紙の場合には、減圧した給紙圧を初期値に戻すタイミングを早めて次の用紙に給紙ローラを高い給紙圧（初期値）をもって圧接させることにより、給紙ローラの支持構造から振動が発生する時間を短くすることができる。
【００７６】
請求項９記載の発明の発明によれば、分離圧減圧手段は、減圧した分離圧を初期値に戻すタイミングを変更可能に設定するように構成されているので、給紙直後に後端が分離ローラから直ぐに離れるような短い用紙の場合には、減圧した分離圧を初期値に戻すタイミングを早めて分離ローラに分離摩擦部材を高い分離圧（初期値）をもって圧接させることにより、分離摩擦部材の支持構造から振動が発生する時間を短くすることができる。
【図面の簡単な説明】
【図１】本発明の第一の実施の形態における孔版印刷機の一部を示す縦断側面図である。
【図２】レジストローラの駆動構造及びレジストローラの接離構造を示す側面図である。
【図３】印刷状態における孔版印刷機の一部を示す縦断側面図である。
【図４】本発明の第三の実施の形態における孔版印刷機の一部を示す縦断側面図である。
【符号の説明】
Ｓ  用紙
１  版胴
２  マスタ
１６  プレス部材
１８  給紙台
１９  給紙ローラ
２０  用紙分離手段
２１  分離ローラ
２２  分離パッド
２３，２４  レジストローラ
２７  給紙圧減圧手段
２８，２９  分離圧保持手段、分離圧減圧手段
３７  レジストローラ離反手段
【図１】
0004149622.tif 000002
【図２】
0004149622.tif 000003
【図３】
0004149622.tif 000004
【図４】
0004149622.tif 000005